(57)【要約】【課題】利便性や意匠性を向上させることができる建具を提供すること。【解決手段】扉１０の開閉動作によって吊り元側側端縁が屋外側に突出した状態において、この吊り元側側端縁がカバー部材３０で覆われているので、扉１０の吊元端縁部材１８が屋外側に露出せず、カバー部材３０の色や材質を適宜に選択することで、外観が良好にできて玄関ドア１の意匠性を向上させることができる。さらに、カバー部材３０が軟質樹脂材料から形成されているので、扉１０の吊り元側側端縁が屋外側に突出した状態において、カバー部材３０で保護されるため、物や利用者の体がぶつかったとしても、不都合が生じずに利便性を向上させることができる。【選択図】図３
2009243045.tif 000002
【特許請求の範囲】
【請求項１】
上枠および左右の縦枠を少なくとも有した枠体と、この枠体に開閉自在に支持される扉体とを備えた建具であって、
前記扉体は、左右の縦辺のうちの一方の縦辺が前記縦枠の一方に支持装置を介して回動自在に支持され、他方の縦辺が前記縦枠の他方に当接または近接して閉じるとともに、当該他方の縦辺が屋外側に向かって開放可能に構成されており、
前記支持装置は、前記一方の縦枠に固定される第１支持部材と、この第１支持部材に第１回動軸を介して回動自在に連結される第２支持部材と、この第２支持部材に第２回動軸を介して回動自在に連結されて前記扉体の一方の縦辺に固定される第３支持部材とを有して構成され、前記第２支持部材は、前記扉体の閉鎖状態において、当該扉体の一方の縦辺と前記一方の縦枠の見込み面との間に位置して設けられ、前記第２回動軸は、前記扉体の一方の縦辺における屋内側に位置して設けられ、
前記扉体は、前記第２支持部材が前記一方の縦枠から他方の縦枠に向かうとともに屋外側に向かって回動し、この第２支持部材の回動によって前記第２回動軸が前記一方の縦枠よりも屋外側に突出する第１開放動作と、この突出した第２回動軸を中心として当該扉体が屋外側に回動する第２開放動作とによって開放され、
前記扉体の一方の縦辺には、当該縦辺の見込み面略全面を覆いかつ軟質材料からなるカバー部材が設けられている建具。
【請求項２】
前記支持装置の第３支持部材は、前記第２回動軸に連結される軸受け部と、前記一方の縦辺の見込み面に固定される固定片部とを有して構成され、
前記カバー部材は、前記固定片部を覆って設けられるとともに、当該カバー部材の一部を前記一方の縦辺から離隔させることで、前記固定片部が露出可能に構成されている請求項１に記載の建具。
【請求項３】
前記扉体の一方の縦辺には、見込み方向に延びる見込み片部と、この見込み片部の屋外側に連続して見付け方向外側に延びる屋外側見付け片部と、前記見込み片部の屋内側に連続して見付け方向外側に延びる屋内側見付け片部とを有し、断面略コ字形に形成された金属製の端縁部材が設けられ、
前記第３支持部材の固定片部は、前記端縁部材の屋内側見付け片部を切り欠いて挿通されるとともに前記見込み片部に固定され、
前記カバー部材は、前記端縁部材の屋外側見付け片部および屋内側見付け片部の先端にそれぞれ係止されるとともに、当該屋内側見付け片部による係止を外すことで前記固定片部が露出可能に構成されている請求項２に記載の建具。
【請求項４】
前記左右の縦枠には、それぞれ前記扉体の閉鎖状態における前記一方および他方の縦辺よりも屋外側かつ当該縦辺よりも見付け方向内側まで延びた見付け片部が設けられている請求項１から請求項３のいずれかに記載の建具。
【発明の詳細な説明】
【技術分野】
【０００１】
本発明は、枠体に開閉自在に支持された扉体を備えた建具に関する。
【背景技術】
【０００２】
従来、玄関ドアなどの建具として、枠体に開閉自在に支持された扉体を備え、扉体が屋外側に開放されるものが一般的である（例えば、特許文献１参照）。
特許文献１に記載された従来の建具では、枠体の縦枠と扉体の側端縁とを連結して扉体を支持する丁番の回動軸が扉体の室外面よりも室外側に設けられ、扉体を開放した際に丁番が固定された扉体の側端縁が屋内側に向かって位置し、この側端縁が屋外側から目立たないようになっている。
【０００３】
【特許文献１】特開２００７−２１１４８１号公報
【発明の開示】
【発明が解決しようとする課題】
【０００４】
ところで、扉体を支持する支持装置として、２つの回動軸と、これらの間に位置する揺動体とを有したものであって、開放途中の状態において扉体側の回動軸が屋外側に突出する支持形式のものを利用した場合、吊り元側の側端縁が屋外側に露出することとなる。このような支持形式の建具においては、扉体における吊り元側の側端縁が屋外側に露出すると意匠性が劣ってしまったり、吊り元側の側端縁が屋外側に突出した状態で物が引っかかったりなどの不都合が生じる可能性がある。
【０００５】
本発明の目的は、利便性や意匠性を向上させることができる建具を提供することにある。
【課題を解決するための手段】
【０００６】
本発明の建具は、上枠および左右の縦枠を少なくとも有した枠体と、この枠体に開閉自在に支持される扉体とを備えた建具であって、前記扉体は、左右の縦辺のうちの一方の縦辺が前記縦枠の一方に支持装置を介して回動自在に支持され、他方の縦辺が前記縦枠の他方に当接または近接して閉じるとともに、当該他方の縦辺が屋外側に向かって開放可能に構成されており、前記支持装置は、前記一方の縦枠に固定される第１支持部材と、この第１支持部材に第１回動軸を介して回動自在に連結される第２支持部材と、この第２支持部材に第２回動軸を介して回動自在に連結されて前記扉体の一方の縦辺に固定される第３支持部材とを有して構成され、前記第２支持部材は、前記扉体の閉鎖状態において、当該扉体の一方の縦辺と前記一方の縦枠の見込み面との間に位置して設けられ、前記第２回動軸は、前記扉体の一方の縦辺における屋内側に位置して設けられ、前記扉体は、前記第２支持部材が前記一方の縦枠から他方の縦枠に向かうとともに屋外側に向かって回動し、この第２支持部材の回動によって前記第２回動軸が前記一方の縦枠よりも屋外側に突出する第１開放動作と、この突出した第２回動軸を中心として当該扉体が屋外側に回動する第２開放動作とによって開放され、前記扉体の一方の縦辺には、当該縦辺の見込み面略全面を覆いかつ軟質材料からなるカバー部材が設けられていることを特徴とする。
【０００７】
ここで、本発明の建具において、前記扉体は、前記開放動作と逆の閉鎖動作によって閉鎖され、具体的には、前記突出した第２回動軸を中心として当該扉体が屋内側に回動して当該扉体の他方の縦辺が前記他方の縦枠に近接する第１閉鎖動作と、前記支持装置の第２支持部材が屋内側に向かって回動するとともに前記他方の縦枠から一方の縦枠に向かって回動する第２閉鎖動作とによって閉鎖されるようになっている。
以上の本発明によれば、扉体が開放する際に、第１開放動作によって第２回動軸が一方の縦枠よりも屋外側に突出した状態において、扉体の一方の縦辺（吊り元側の縦辺）が屋外側に突出して露出することとなるが、この一方の縦辺の見込み面略全面がカバー部材で覆われているので、扉体の見込み面が目立たず、カバー部材の色や材質を適宜に選択することで意匠性を向上させることができる。さらに、カバー部材が軟質材料から形成されているので、扉体の一方の縦辺が屋外側に突出する移動中や突出した状態において、軟質なカバー部材で保護されるため扉体の見込み面に物や利用者の体がぶつかったとしても、不都合が生じなくできて利便性を向上させることができる。
【０００８】
この際、本発明の建具では、前記支持装置の第３支持部材は、前記第２回動軸に連結される軸受け部と、前記一方の縦辺の見込み面に固定される固定片部とを有して構成され、前記カバー部材は、前記固定片部を覆って設けられるとともに、当該カバー部材の一部を前記一方の縦辺から離隔させることで、前記固定片部が露出可能に構成されていることが好ましい。
このような構成によれば、扉体の見込み面に支持装置の第３支持部材の固定片部が固定された構造において、固定片部をカバー部材で覆って隠蔽することで、建具の意匠性をさらに向上させることができる。また、軟質材料からなるカバー部材の一部を離隔させて固定片部を露出させることで、カバー部材全体としては取り付けたままの状態で、固定片部における建て込み調節などの作業を実施することができる。
【０００９】
さらに、本発明の建具では、前記扉体の一方の縦辺には、見込み方向に延びる見込み片部と、この見込み片部の屋外側に連続して見付け方向外側に延びる屋外側見付け片部と、前記見込み片部の屋内側に連続して見付け方向外側に延びる屋内側見付け片部とを有し、断面略コ字形に形成された金属製の端縁部材が設けられ、前記第３支持部材の固定片部は、前記端縁部材の屋内側見付け片部を切り欠いて挿通されるとともに前記見込み片部に固定され、前記カバー部材は、前記端縁部材の屋外側見付け片部および屋内側見付け片部の先端にそれぞれ係止されるとともに、当該屋内側見付け片部による係止を外すことで前記固定片部が露出可能に構成されていることが好ましい。
このような構成によれば、端縁部材の屋内側および屋外側の見付け片部先端にカバー部材を係止させた構造において、屋内側見付け片部を切り欠いて挿通させた第３支持部材の固定片部を端縁部材の見込み片部に固定することで、カバー部材と支持装置の第３支持部材とを良好に納めることができる。さらに、切欠きが屋内側見付け片部に形成されていることで、この切欠きが屋外側から見えないようにでき、建具の良好な意匠性も維持することができる。
【００１０】
また、本発明の建具では、前記左右の縦枠には、それぞれ前記扉体の閉鎖状態における前記一方および他方の縦辺よりも屋外側かつ当該縦辺よりも見付け方向内側まで延びた見付け片部が設けられていることが好ましい。
このような構成によれば、扉体の両側の縦辺よりも屋外側にて縦辺に重なって延びる見付け片部が縦枠に設けられていることで、閉鎖状態における扉体の縦辺部分が屋外側から隠蔽されることとなり、意匠性をより一層向上させることができる。そして、扉体の縦辺の屋外側に縦枠の見付け片部が重なっていたとしても、前述した支持装置による第１および第２の開放動作によって扉体が開放できるとともに、第１および第２の閉鎖動作によって扉体が縦枠の見付け片部屋内側に収まって閉鎖できるようになっている。さらに、縦枠に見付け片部を設けたことにより、第１開放動作時または第２閉鎖動作時において、扉体の一方の縦辺が見付け片部の先端付近を通過することとなるが、この通過の際に、一方の縦辺の見込み面に軟質材料からなるカバー部材が設けられていることで、見付け片部と縦辺との間に物などが挟まるのを防止することができる。
【発明を実施するための最良の形態】
【００１１】
以下、本発明の実施形態を図面に基づいて説明する。
図１は、本発明の実施形態に係る建具である玄関ドア１を示す縦断面図である。図２は、玄関ドア１を示す横断面図である。図３は、玄関ドア１における扉１０の開閉動作（第１開放動作および第２閉鎖動作）を示す横断面図である。図４は、玄関ドア１における扉１０の開閉動作（第２開放動作および第１閉鎖動作）を示す横断面図である。
図１および図２において、玄関ドア１は、外壁開口部に固定される枠体２と、この枠体２に開閉自在に支持される扉（扉体）１０とを備えて構成されている。枠体２は、上枠３、下枠４および左右の縦枠５，６を有して構成されている。
【００１２】
扉１０は、四周枠組みされた上枠材１１、下枠材１２および左右の縦枠材１３，１４と、これらの各枠材１１，１２，１３，１４の屋内外にそれぞれ固定された内外一対の金属製のパネル１５，１６と、屋内外のパネル１５，１６間に設けられた樹脂製の断熱材１７とを備えて構成されている。また、左右の縦枠材１３，１４のうち、一方（図２の左側であり吊り元側）の縦枠材１３には、当該縦枠材１３に沿って上下に延びる吊元端縁部材１８が固定され、他方（図２の右側であり戸先側）の縦枠材１４には、当該縦枠材１４に沿って上下に延びる戸先端縁部材１９が固定されている。そして、縦枠材１３および吊元端縁部材１８によって扉１０の一方の縦辺が構成され、縦枠材１４および戸先端縁部材１９によって扉１０の他方の縦辺が構成されている。また、吊元端縁部材１８には、後述するカバー部材３０が取り付けられ、戸先端縁部材１９には、カバー部材３０Ａが取り付けられている。
【００１３】
上枠３は、図１に示すように、略矩形中空断面を有して建物躯体に固定される上枠本体３Ａと、この上枠本体３Ａの屋内側に設けられる上枠屋内部材３Ｂと、これらの上枠本体３Ａと上枠屋内部材３Ｂとを連結する上下２つの断熱部材３Ｃと、上枠本体３Ａの上部屋外側に連結されて建物躯体に固定される上枠固定部材３Ｄと、上枠本体３Ａの上部屋外側かつ上枠固定部材３Ｄの下側に取り付けられる上枠屋外部材３Ｅとを有して構成されている。さらに、上枠屋内部材３Ｂの屋内側側面には、上枠カバー部材３Ｆが取り付けられ、この上枠カバー部材３Ｆによって上枠屋内部材３Ｂが中空状に形成され、この中空内部には、扉１０を施錠するための施錠ユニットＲＵや、図示しない扉開閉制御ユニット等が設けられている。そして、上枠屋内部材３Ｂの屋外側側面には、気密材３Ｇが取り付けられており、この気密材３Ｇが閉鎖状態における扉１０のパネル１５の上端縁屋内面に当接可能になっている。さらに、上枠屋内部材３Ｂの下端部には、屋外側に突出した軟質樹脂製の見切り材３Ｈが取り付けられ、この見切り材３Ｈが閉鎖状態における扉１０のパネル１５に近接して位置するようになっている。また、上枠本体３Ａの中空内部には、扉１０の開閉速度を抑制するとともに扉１０を閉鎖方向に付勢する閉鎖装置ＤＣの装置本体が設けられ、装置本体と扉１０の上枠材１１に設けたスライダ（不図示）とがアーム（不図示）を介して連結されている。また、下枠４には、扉１０のパネル１５の下端縁屋内面に当接可能な気密材４Ｇが取り付けられている。
【００１４】
次に、一方の縦枠である縦枠５は、図２に示すように、略矩形中空断面を有して建物躯体に固定される縦枠本体５Ａと、この縦枠本体５Ａとともに建物躯体に固定される縦枠固定部材５Ｂと、縦枠本体５Ａおよび縦枠固定部材５Ｂの屋内側に設けられる縦枠屋内部材５Ｃと、縦枠本体５Ａおよび縦枠固定部材５Ｂと縦枠屋内部材５Ｃとを連結する２つの断熱部材５Ｄとを有して構成されている。さらに、縦枠本体５Ａは、その屋外側位置にて見付け方向内側に延びる見付け片部５Ｅと、この見付け片部５Ｅの屋外側に取り付けられる縦枠屋外部材５Ｆとを有して構成されている。また、縦枠屋内部材５Ｃの先端部屋外側には、気密材５Ｇが取り付けられており、この気密材５Ｇが閉鎖状態における扉１０のパネル１５の吊り元側端縁屋内面に当接可能になっている。さらに、縦枠本体５Ａの見付け片部５Ｅ先端部には、屋内側に突出した軟質樹脂製の見切り材５Ｈが取り付けられ、この見切り材５Ｈが閉鎖状態における扉１０のパネル１６に近接して位置するようになっている。また、縦枠本体５Ａと縦枠屋内部材５Ｃとで囲まれた内部には、後述する支持装置２０と、この支持装置２０の第２支持部材２３を駆動して扉１０を開閉動作させる電動駆動ユニット（不図示）とが設けられている。この電動駆動ユニットは、前記上枠３に設けた扉開閉制御ユニットからの指令を受けて作動するものであって、支持装置２０の第２支持部材２３を回転駆動するモータ等を有して構成されている。
【００１５】
次に、他方の縦枠である縦枠６は、前記縦枠本体５Ａよりも見付け寸法が大きな略矩形中空断面を有して建物躯体に固定される縦枠本体６Ａと、この縦枠本体６Ａとともに建物躯体に固定される縦枠固定部材６Ｂと、縦枠本体６Ａおよび縦枠固定部材６Ｂの屋内側に設けられる縦枠屋内部材６Ｃと、縦枠本体６Ａおよび縦枠固定部材６Ｂと縦枠屋内部材６Ｃとを連結する３つの断熱部材６Ｄとを有して構成されている。さらに、縦枠本体６Ａは、その屋外側位置にて見付け方向内側に延びる見付け片部６Ｅと、この見付け片部６Ｅの屋外側に取り付けられる前記縦枠屋外部材５Ｆと同様の縦枠屋外部材６Ｆとを有して構成されている。また、縦枠屋内部材６Ｃの先端部屋外側には、気密材６Ｇが取り付けられており、この気密材６Ｇが閉鎖状態における扉１０のパネル１５の戸先側端縁屋内面に当接可能になっている。さらに、縦枠本体６Ａの見付け片部６Ｅ先端部には、屋内側に突出した軟質樹脂製の見切り材６Ｈが取り付けられ、この見切り材６Ｈが閉鎖状態における扉１０のパネル１６に近接して位置するようになっている。また、縦枠本体６Ａ内部と縦枠屋内部材６Ｃ内部とを連通した中空空間内部には、前記施錠ユニットＲＵや電動駆動ユニットを操作するための操作ユニットＯＵが設けられている。この操作ユニットＯＵは、例えば、屋外側または屋内側から押しボタンを押し込んだり、非接触型カードをかざしたりすることで、施錠ユニットＲＵの施解錠を切り換え操作したり、電動駆動ユニットによる扉１０の開閉駆動を操作したりなどができるようになっている。
【００１６】
以上の上枠３および左右の縦枠５，６において、上枠屋外部材３Ｅは、上枠本体３Ａおよび上枠固定部材３Ｄに係止されつつ上枠本体３Ａの底面にビス止め固定され、縦枠屋外部材５Ｆ，６Ｆは、縦枠５，６の見付け片部５Ｅ，６Ｅに係止されつつ屋内側からビス止め固定されている。これらの上枠屋外部材３Ｅおよび縦枠屋外部材５Ｆ，６Ｆは、扉１０を開放した状態でビスを外すことによって取り外し可能に構成されており、これら各屋外部材３Ｅ，５Ｆ，６Ｆの屋外面における意匠を変更することで、玄関ドア１の外観が変更できるようになっている。すなわち、本実施形態においては、各屋外部材３Ｅ，５Ｆ，６Ｆの屋外面には、上下方向に平行な波状の凹凸が設けられ、縦のラインを強調した外観に構成されている。一方、各屋外部材３Ｅ，５Ｆ，６Ｆを変更して、その屋外面にガラス製や金属パネルなどの各種外装材を取り付けることも可能であり、このように各屋外部材３Ｅ，５Ｆ，６Ｆを取り換えることによって、容易に玄関ドア１の外観が変更可能に構成されている。
【００１７】
次に、扉１０は、一方の縦枠である縦枠５に支持装置２０を介して支持され、屋外側に開放されるようになっている。支持装置２０は、一方の縦枠５に固定される第１支持部材２１と、この第１支持部材２１に第１回動軸２２を介して回動自在に連結される第２支持部材２３と、この第２支持部材２３に第２回動軸２４を介して回動自在に連結される第３支持部材２５とを有して構成されている。そして、第３支持部材２５が扉１０の一方の縦枠材１３および吊元端縁部材１８に固定されている。この支持装置２０において、第１支持部材２１は、縦枠５における縦枠本体５Ａの見込み面に固定されて見付け片部５Ｅの内側に沿って延び、この先端に設けられた第１回動軸２２を中心にして第２支持部材２３が回動自在に支持されている。そして、第２支持部材２３は、平面略Ｕ字形に曲がった形態を有するとともに、扉１０閉鎖状態において、吊元端縁部材１８と縦枠本体５Ａとの間に位置して設けられ、その先端の第２回動軸２４は、扉１０の吊元端縁部材１８における屋内側に位置して設けられている。
【００１８】
以上のような支持装置２０に支持された扉１０は、閉鎖状態において、図２および図３の仮想線（二点鎖線）で示すように、縦枠５，６の見付け片部５Ｅ，６Ｅよりも屋内側に位置するとともに、扉１０の左右側端縁が見付け片部５Ｅ，６Ｅ先端と見込み方向に重なった状態となっている。この際、縦枠５，６に設けた見切り材５Ｈ，６Ｈの先端がパネル１６に近接することで、扉１０の左右側端縁が屋外側から見えないとともに、扉１０と縦枠本体５Ａ，６Ａとの間の空間も屋外側から見えないようになっている。さらに、閉鎖状態において扉１０の屋内側のパネル１５は、上枠３の気密材３Ｇ、下枠４の気密材４Ｇおよび左右の縦枠５，６の気密材５Ｇ，６Ｇに当接することで、玄関ドア１の気密性、水密性が確保されるようになっている。また、上枠３の見切り材３Ｈの先端が屋内側のパネル１５上端部に近接することで、扉１０との左右側端縁が屋外側から見えないとともに、扉１０と上枠屋内部材３Ｂとの隙間が屋内側から見えないようにもなっている。
【００１９】
次に、操作ユニットＯＵの操作に基づき扉開閉制御ユニットからの駆動指令を受けた電動駆動ユニットの駆動によって、図３の実線で示すように、支持装置２０の第２支持部材２３が回動され、第２回動軸２４が縦枠５よりも屋外側に移動されることで、扉１０の吊り元側の側端縁が縦枠５よりも屋外側に突出した位置に移動される（第１開放動作）。この第１開放動作では、支持装置２０の第２支持部材２３が図３における反時計回りに回動し、すなわち、第２支持部材２３が一方の縦枠５から他方の縦枠６に向かいつつ屋外側に向かって回動することで、扉１０は、先ず他方の縦枠６に向かって押されて移動し、次に吊り元側の側端縁が屋外側に突出しつつ一方の縦枠５側に戻るように動作することとなる。そして、第１開放動作によって、支持装置２０の第２支持部材２３は、縦枠５の見付け片部５Ｅの先端部を囲むように位置し、扉１０の一方の側端縁は、見付け片部５Ｅの屋外側に重なって位置するとともに、扉１０の戸先側の側端縁は、見付け片部６Ｅよりも屋内側でかつ見付け片部６Ｅの先端よりも見付け方向内側に離れて位置することになる。
【００２０】
次に、図４に示すように、縦枠５よりも屋外側に移動された支持装置２０の第２回動軸２４を中心として、扉１０が屋外側に回動される（第２開放動作）。この第２開放動作では、電動駆動ユニットによって支持装置２０の第２支持部材２３の回動がロックされ、第２回動軸２４が移動しないようになっており、扉１０のハンドルを利用者が屋内側から押したり屋外側から引いたりなどの手動によって、扉１０が屋外側に開放できるようになっている。そして、第２開放動作によって全開位置まで開放された扉１０は、前記閉鎖装置ＤＣのアームがロックされることで全開位置に保持できるようになっている。
一方、扉１０の閉鎖動作としては、縦枠５よりも屋外側に移動された第２回動軸２４を中心として、手動により扉１０が屋内側に回動して扉１０の戸先側の側端縁が縦枠６の見付け片部６Ｅよりも屋内側まで移動する（第１閉鎖動作）。この第１閉鎖動作に続いて、操作ユニットＯＵの操作に基づき扉開閉制御ユニットからの駆動指令を受けた電動駆動ユニットの駆動によって、図３に示すように、支持装置２０の第２支持部材２３が時計回りに回動され、これにより扉１０の吊り元側の側端縁が屋内側に回動し、扉１０の左右側端縁が縦枠５，６の見付け片部５Ｅ，６Ｅよりも屋内側で見込み方向に重なる閉鎖状態まで移動する（第２閉鎖動作）。以上の第１閉鎖動作および第２閉鎖動作によって扉１０が閉鎖されるようになっている。
【００２１】
次に、扉１０の一方である吊り元側の側端縁の構造および作用について、図５〜図７も参照して説明する。ここで、図５は、扉１０の吊り元側を拡大して示す横断面図である。図６および図７は、それぞれ扉１０の第１開放動作時の吊り元側を拡大して示す横断面図である。
吊元端縁部材１８は、アルミ形材製の長尺部材であって、見込み方向に延びる見込み片部１８Ａと、この見込み片部１８Ａの屋外側に連続して見付け方向外側に延びる屋外側見付け片部１８Ｂと、見込み片部１８Ａの屋内側に連続して見付け方向外側に延びる屋内側見付け片部１８Ｃとを有して断面略コ字形に形成されている。そして、屋外側見付け片部１８Ｂおよび屋内側見付け片部１８Ｃの各先端部には、断面略Ｃ字形に形成されたカバー部材係止部１８Ｄ，１８Ｅが形成され、屋外側見付け片部１８Ｂの先端部には、屋外側に延びるとともに見付け方向内側に折れ曲がった折曲片部１８Ｆが形成されている。また、支持装置２０の第３支持部材２５は、第２回動軸２４に連結される軸受け部２５Ａと、吊元端縁部材１８に固定される固定片部２５Ｂとを有して構成されている。そして、第３支持部材２５は、複数の建て込み調節板２５Ｃを介して固定片部２５Ｂと吊元端縁部材１８の見込み片部１８Ａが対向した状態で、固定片部２５Ｂ、見込み片部１８Ａおよび縦枠材１３を貫通するビス２５Ｄと、縦枠材１３の内側に設けた裏板材２５Ｅとが螺合することで、吊元端縁部材１８および縦枠材１３に固定されている。また、固定片部２５Ｂを固定する高さ位置において、吊元端縁部材１８の屋内側見付け片部１８Ｃは、切り欠かれており、この切り欠きに固定片部２５Ｂが挿通されている。
【００２２】
また、吊元端縁部材１８の見付け方向外側には、当該吊元端縁部材１８および第３支持部材２５の固定片部２５Ｂを覆って軟質樹脂製のカバー部材３０が取り付けられている。このカバー部材３０は、見込み方向に延びるカバー部材本体３１と、このカバー部材本体３１の屋内側に連続して見付け方向内側に折れ曲がりカバー部材係止部１８Ｅの屋内面を覆う屋内面部３２と、カバー部材本体３１から見付け方向内側に突出してカバー部材係止部１８Ｄ，１８Ｅに係止される一対の被係止突起３３，３４とを有して形成されている。そして、カバー部材３０における屋外側の被係止突起３３は、比較的強固にカバー部材係止部１８Ｄに係止され、屋内側の被係止突起３４は、着脱自在にカバー部材係止部１８Ｅに係止され、これらの被係止突起３３，３４が係止されることで、カバー部材３０が吊元端縁部材１８に保持されている。このようにカバー部材３０が取り付けられた状態において、カバー部材３０と吊元端縁部材１８とは中空状に形成され、カバー部材本体３１が内方（固定片部２５Ｂ側）にクッション性を有して弾性変形できるようになっている。また、屋内側の被係止突起３４をカバー部材係止部１８Ｅから外すことで、カバー部材３０の屋内側をめくることができ、これにより固定片部２５Ｂのビス２５Ｄや建て込み調節板２５Ｃを調節するためのボルト（不図示）などが露出され、支持装置２０の建て込み調節が実施できるようになっている。
【００２３】
以上のような扉１０の吊り元側側端縁は、第１開放動作（または第２閉鎖動作）の際に図６および図７に示すように、縦枠５の見付け片部５Ｅ先端付近を通過することとなる。この通過の際において、見付け片部５Ｅの先端に対向する吊り元側側端縁にカバー部材３０が設けられていることで、見付け片部５Ｅと扉１０との間に物が挟まれそうになったとしても、カバー部材３０が弾性変形することで、見付け片部５Ｅや扉１０に過大な力が作用せず、これら各部の破損が防止できるとともに、開放動作や閉鎖動作が阻害されないようになっている。そして、図７および図３に示すように、第１開放動作時や第１開放動作後において、扉１０の吊り元側側端縁が屋外側に露出することとなるが、吊元端縁部材１８や第３支持部材２５の固定片部２５Ｂがカバー部材３０に覆われているため、複雑な形状の金属製部材が屋外側に露出することがなく、これらの部材に物などが引っ掛からないようになっている。
【００２４】
このような本実施形態によれば、以下のような効果がある。
（１）すなわち、扉１０の第１開放動作（または第２開放動作）によって吊り元側側端縁が屋外側に突出した状態において、この吊り元側側端縁がカバー部材３０で覆われているので、扉１０の吊元端縁部材１８や固定片部２５Ｂが屋外側に露出せず、カバー部材３０のフラットなカバー部材本体３１が見えるようにしたことで外観が良好にできる。そして、カバー部材３０の色や材質を適宜に選択することで、玄関ドア１の意匠性を向上させることができる。さらに、カバー部材３０が軟質樹脂材料から形成されているので、扉１０の吊り元側側端縁が屋外側に突出した状態において、カバー部材３０で保護されるため、物や利用者の体がぶつかったとしても、不都合が生じずに利便性を向上させることができる。
【００２５】
（２）さらに、縦枠５，６の見付け片部５Ｅ，６Ｅが閉鎖状態における扉１０の両側端縁の屋外側に重なって設けられているので、屋外側から扉１０の側端縁が隠蔽されることとなり、意匠性をより一層向上させることができる。そして、扉１０の両側端に縦枠５，６の見付け片部５Ｅ，６Ｅが重なっていたとしても、支持装置２０による第１および第２の開放動作によって扉１０が開放できるとともに、第１および第２の閉鎖動作によって扉１０が縦枠５，６の見付け片部５Ｅ，６Ｅ屋内側に収まって閉鎖できるようになっている。さらに、第１開放動作時または第２閉鎖動作時において、扉１０の吊り元側の側端縁が縦枠５の見付け片部５Ｅの先端付近を通過する際に、吊り元側側端縁にカバー部材３０が設けられていることで、見付け片部５Ｅと扉１０との間に物などが挟まるのを防止することができる。
【００２６】
（３）また、カバー部材３０が吊元端縁部材１８のカバー部材係止部１８Ｄ，１８Ｅに係止されて取り付けられ、屋内側のカバー部材係止部１８Ｅとの係止を外すことで、カバー部材３０をめくることができ、これにより支持装置２０の固定片部２５Ｂの建て込み調節が実施でき、調節作業の作業性が向上できる。また、支持装置２０の固定片部２５Ｂがカバー部材３０に覆われて隠蔽されているので、玄関ドア１の意匠性をさらに向上させることができる。吊元端縁部材１８の屋内側見付け片部１８Ｃが切り欠かれ、この切り欠きに挿通した固定片部２５Ｂが吊元端縁部材１８の見込み片部１８Ａに固定されているので、カバー部材３０のカバー部材本体３１側（つまり見込み面）に切欠きが露出せず、屋外側から見た玄関ドア１の外観を良好に維持することができる。
【００２７】
なお、本発明は、前記実施形態に限定されるものではなく、本発明の目的が達成できる他の構成等を含み、以下に示すような変形等も本発明に含まれる。
例えば、前記実施形態においては、玄関ドア１を例示して説明したが、本発明の建具としては、玄関ドア１に限らず、扉体が回動開閉可能に設けられた建具であればよく、例えば、任意の窓や出入り口、屋内に設けられる可動間仕切りなどであってもよい。
また、前記実施形態では、扉１０の第１開放動作および第２閉鎖動作が電動駆動ユニットにより実施される半自動（電動）の玄関ドア１について説明したが、本発明の建具としては、手動操作のみによって扉体が開閉されるものであってもよく、また全自動（電動）で扉体が開閉されるものであってもよい。
【００２８】
また、前記実施形態では、縦枠５，６に見付け片部５Ｅ，６Ｅを設け、これらの見付け片部５Ｅ，６Ｅの屋内側に閉鎖状態の扉１０の側端縁が隠蔽される構成を採用したが、縦枠５，６の見付け片部５Ｅ，６Ｅは必須ではなく、省略することができる。
さらに、前記実施形態では、上枠３の上枠屋内部材３Ｂに設けた施錠ユニットＲＵによって扉１０の施錠、解錠を切り換えるとともに、縦枠６に設けた操作ユニットＯＵによって施錠ユニットＲＵを操作する構成としたが、本発明の建具における施錠装置やその操作手段の構成は、前記実施形態のものに限定されない。すなわち、一般的な玄関ドアに用いられるラッチやボルト、ボルト受けなどを有した錠装置を、本発明の縦枠と扉体の側端縁とに設けてもよい。
【００２９】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３０】
【図１】本発明の実施形態に係る建具を示す縦断面図である。
【図２】前記建具を示す横断面図である。
【図３】前記建具における扉体の開閉動作を示す横断面図である。
【図４】前記扉体の開閉動作を示す横断面図である。
【図５】前記扉体の吊り元側を拡大して示す横断面図である。
【図６】前記扉体の開閉動作時の吊り元側を拡大して示す横断面図である。
【図７】前記扉体の開閉動作時の吊り元側を拡大して示す横断面図である。
【符号の説明】
【００３１】
１…玄関ドア（建具）、２…枠体、３…上枠、５，６…縦枠、５Ｅ，６Ｅ…見付け片部、１０…扉（扉体）、１８…吊元端縁部材（端縁部材）、１８Ａ…見込み片部、１８Ｂ…屋外側見付け片部、１８Ｃ…屋内側見付け片部、２０…支持装置、２１…第１支持部材、２２…第１回動軸、２３…第２支持部材、２４…第２回動軸、２５…第３支持部材、２５Ａ…軸受け部、２５Ｂ…固定片部、３０…カバー部材。
【図１】
2009243045.tif 000003
【図２】
2009243045.tif 000004
【図３】
2009243045.tif 000005
【図４】
2009243045.tif 000006
【図５】
2009243045.tif 000007
【図６】
2009243045.tif 000008
【図７】
2009243045.tif 000009